(57)【特許請求の範囲】
【請求項１】
パチンコ球が入球または通過する複数の入球口およびパチンコ球を複数の入球口に振分ける振分け部材を有するものであって、当該複数の入球口のいずれか一つを予め決められた振分け時間だけ振分け方向とし、当該振分け時間が経過した場合には振分け方向を別の入球口へと変更する振分け装置と、
前記振分け部材によるパチンコ球の振分け方向を表示する振分け表示装置とを備え、
前記振分け表示装置は、
パチンコ球の複数の振分け方向を個別に指示する複数の指示窓と、
前記複数の指示窓を個別に照明するものであって、点灯状態がマイクロコンピュータによって個別に制御される複数のランプを備え、
前記マイクロコンピュータが前記複数のランプを選択的に点灯することに基づいてパチンコ球の振分け方向を表示する処理と当該ランプの点灯状態で設定時間が経過したときに当該ランプを点滅させる処理と当該ランプの点滅ピッチを時間の経過と共に短くする処理と前記振分け時間が終了したときに当該ランプを消灯する処理を実行することでパチンコ球の振分け方向のみならず前記振分け時間の残りも表示することが可能なものであることを特徴とするパチンコ機。
【請求項２】
パチンコ球が発射される遊技盤と、
前記遊技盤に設けられた台板と、
前記台板に設けられ、パチンコ球が前記台板の前方の領域内に進入することを許容する入賞口と、
前記台板に前記入賞口より低所に位置して設けられ、パチンコ球が通過することが可能な通過口と、
前記台板に前記入賞口より低所に位置して設けられ、パチンコ球が入賞することが可能なものであって前記通過口に対して左右方向に離間して配置された電動役物作動口と、
前記台板に前後方向へ指向する軸を中心に第１の状態および第２の状態相互間で回動可能に設けられ、前記入賞口から前記台板の前方の領域内に進入したパチンコ球を受けるものであって第１の状態に回動している場合には当該パチンコ球が前記通過口内を通過するように当該パチンコ球を前記通過口に向けて転動させると共に第２の状態に回動している場合には当該パチンコ球が前記電動役物作動口内に入賞するように当該パチンコ球を前記電動役物作動口に向けて転動させる振分け部材と、
前記振分け部材を第１の状態および第２の状態相互間で回動操作する駆動源と、
前記遊技盤に設けられ、パチンコ球が入賞することが可能な状態およびパチンコ球が入賞することが不能な状態相互間で切換えられる電動役物と、
前記電動役物をパチンコ球が入賞することが可能な状態およびパチンコ球が入賞することが不能な状態相互間で切換えるものであって、パチンコ球が前記電動役物作動口内に入賞することに基づいて前記電動役物をパチンコ球が入賞することが可能な状態にする役物ソレノイドと、
前記台板に設けられ、透明な合成樹脂からなるものであって前記振分け部材が第１の状態に回動操作されている場合のパチンコ球の転動方向を示す矢印状の通過口指示窓と、
前記通過口指示窓を後方から照明するＬＥＤからなる通過口指示ランプと、
前記台板に設けられ、透明な合成樹脂からなるものであって前記振分け部材が第２の状態に回動操作されている場合のパチンコ球の転動方向を示す矢印状の作動口指示窓と、
前記作動口指示窓を後方から照明するＬＥＤからなる作動口指示ランプと、
前記駆動源を駆動制御することに基づいて前記振分け部材を予め決められた設定周期で第１の状態および第２の状態に交互に回動操作するものであって、前記振分け部材を第１の状態に回動操作している場合には前記作動口指示ランプの消灯状態で前記通過口指示ランプを点灯することに基づいてパチンコ球が前記通過口に振分けられることを表示するマイクロコンピュータを備え、
前記マイクロコンピュータは、
前記振分け部材を第２の状態に回動操作している場合には前記通過口指示ランプの消灯状態で前記作動口指示ランプを点灯または点滅することに基づいてパチンコ球が前記電動役物作動口に振分けられることを表示するものであって、
前記作動口指示ランプの点灯状態で設定時間が経過した場合には前記作動口指示ランプを点滅させ、前記作動口指示ランプの点滅状態では前記作動口指示ランプの点滅ピッチを時間の経過と共に短くし、前記振分け部材を第２の状態から第１の状態に回動操作した場合には前記作動口指示ランプを消灯することでパチンコ球が前記電動役物作動口に振分けられる振分け時間を表示するものであることを特徴とするパチンコ機。
【発明の詳細な説明】
【０００１】
【発明の属する技術分野】
本発明は、パチンコ球を複数の入球口に振分ける振分け装置を有するパチンコ機に関する。
【０００２】
【発明が解決しようとする課題】
上記パチンコ機には、パチンコ球を振分け装置の複数の入球口に振分けることに基づいてパチンコ球の挙動におもしろみを持たせることが考えられている。この場合、パチンコ球が振分け装置内に入賞する毎にパチンコ球の流れを目で追って振分け方向を確認する必要があるので、特に遊技を長く続けるときに振分け方向の確認動作が面倒になり、遊技がつまらないものになってしまう虞れがある。
本発明は上記事情に鑑みてなされたものであり、その目的は、遊技のおもしろさを高めることができるパチンコ機を提供することにある。
【０００３】
【課題を解決するための手段】
請求項１記載のパチンコ機は、パチンコ球が入球または通過する複数の入球口およびパチンコ球を複数の入球口に振分ける振分け部材を有するものであって当該複数の入球口のいずれか一つを予め決められた振分け時間だけ振分け方向とし当該振分け時間が経過した場合には振分け方向を別の入球口へと変更する振分け装置と、前記振分け部材によるパチンコ球の振分け方向を表示する振分け表示装置とを備え、前記振分け表示装置はパチンコ球の複数の振分け方向を個別に指示する複数の指示窓と、前記複数の指示窓を個別に照明するものであって点灯状態がマイクロコンピュータによって個別に制御される複数のランプを備え、前記マイクロコンピュータが前記複数のランプを選択的に点灯することに基づいてパチンコ球の振分け方向を表示する処理と当該ランプの点灯状態で設定時間が経過したときに当該ランプを点滅させる処理と当該ランプの点滅ピッチを時間の経過と共に短くする処理と前記振分け時間が終了したときに当該ランプを消灯する処理を実行することでパチンコ球の振分け方向のみならず前記振分け時間の残りも表示することが可能なものであるところに特徴を有している。
上記手段によれば、振分け装置によるパチンコ球の振分け方向が表示されるので、パチンコ球が振分け装置内に入賞する毎にパチンコ球の流れを目で追って振分け方向を確認する必要がなくなる。このため、遊技者が振分け装置内でのパチンコ球の挙動を煩わしく感じない程度に目で追うことができるので、遊技のおもしろさが高まる。しかも、パチンコ球の振分け方向が一目で分る。このため、振分け方向の表示を読取ることに集中する必要がなくなり、パチンコ球の挙動のおもしろさを十分に堪能できるので、遊技のおもしろさが一層高まる。
【０００４】
請求項２記載のパチンコ機は、パチンコ球が発射される遊技盤と、前記遊技盤に設けられた台板と、前記台板に設けられパチンコ球が前記台板の前方の領域内に進入することを許容する入賞口と、前記台板に前記入賞口より低所に位置して設けられパチンコ球が通過することが可能な通過口と、前記台板に前記入賞口より低所に位置して設けられパチンコ球が入賞することが可能なものであって前記通過口に対して左右方向に離間して配置された電動役物作動口と、前記台板に前後方向へ指向する軸を中心に第１の状態および第２の状態相互間で回動可能に設けられ前記入賞口から前記台板の前方の領域内に進入したパチンコ球を受けるものであって第１の状態に回動している場合には当該パチンコ球が前記通過口内を通過するように当該パチンコ球を前記通過口に向けて転動させると共に第２の状態に回動している場合には当該パチンコ球が前記電動役物作動口内に入賞するように当該パチンコ球を前記電動役物作動口に向けて転動させる振分け部材と、前記振分け部材を第１の状態および第２の状態相互間で回動操作する駆動源と、前記遊技盤に設けられパチンコ球が入賞することが可能な状態およびパチンコ球が入賞することが不能な状態相互間で切換えられる電動役物と、前記電動役物をパチンコ球が入賞することが可能な状態およびパチンコ球が入賞することが不能な状態相互間で切換えるものであってパチンコ球が前記電動役物作動口内に入賞することに基づいて前記電動役物をパチンコ球が入賞することが可能な状態にする役物ソレノイドと、前記台板に設けられ透明な合成樹脂からなるものであって前記振分け部材が第１の状態に回動操作されている場合のパチンコ球の転動方向を示す矢印状の通過口指示窓と、前記通過口指示窓を後方から照明するＬＥＤからなる通過口指示ランプと、前記台板に設けられ透明な合成樹脂からなるものであって前記振分け部材が第２の状態に回動操作されている場合のパチンコ球の転動方向を示す矢印状の作動口指示窓と、前記作動口指示窓を後方から照明するＬＥＤからなる作動口指示ランプと、前記駆動源を駆動制御することに基づいて前記振分け部材を予め決められた設定周期で第１の状態および第２の状態に交互に回動操作するものであって前記振分け部材を第１の状態に回動操作している場合には前記作動口指示ランプの消灯状態で前記通過口指示ランプを点灯することに基づいてパチンコ球が前記通過口に振分けられることを表示するマイクロコンピュータを備え、前記マイクロコンピュータは前記振分け部材を第２の状態に回動操作している場合には前記通過口指示ランプの消灯状態で前記作動口指示ランプを点灯または点滅することに基づいてパチンコ球が前記電動役物作動口に振分けられることを表示するものであって、前記作動口指示ランプの点灯状態で設定時間が経過した場合には前記作動口指示ランプを点滅させ前記作動口指示ランプの点滅状態では前記作動口指示ランプの点滅ピッチを時間の経過と共に短くし前記振分け部材を第２の状態から第１の状態に回動操作した場合には前記作動口指示ランプを消灯することでパチンコ球が前記電動役物作動口に振分けられる振分け時間を表示するものであるところに特徴を有している。
上記手段によれば、振分け装置によるパチンコ球の振分け方向が表示されるので、パチンコ球が振分け装置内に入賞する毎にパチンコ球の流れを目で追って振分け方向を確認する必要がなくなる。このため、遊技者が振分け装置内でのパチンコ球の挙動を煩わしく感じない程度に目で追うことができるので、遊技のおもしろさが高まる。しかも、パチンコ球の流れが振分け装置内で急激に変わるので、パチンコ球の挙動のおもしろみが高まる。しかも、遊技者がパチンコ球の急激な流れの変化を煩わしく感じない程度に目で追うことができるので、遊技のおもしろさが一層高まる。しかも、パチンコ球の振分け方向が一目で分る。このため、振分け方向の表示を読取ることに集中する必要がなくなり、パチンコ球の挙動のおもしろさを十分に堪能できるので、遊技のおもしろさが一層高まる。
【０００６】
【発明の実施の形態】
以下、本発明の一実施例を図面に基づいて説明する。パチンコホールの台島には、図４に示すように、外枠１が設置されている。この外枠１は前後面が開口する角筒状をなすものであり、外枠１には、図３に示すように、前面扉２が左側辺部を中心に回動可能に装着されている。この前面扉２の右側部には枠鍵３が装着されており、枠鍵３は前面扉２を外枠１の前端面に密着した閉鎖状態にロックしている。
【０００７】
前面扉２の前面には右下部に位置して発射ハンドル４が回動可能に装着されており、発射ハンドル４の後方には、図４に示すように、発射モータ５が装着されている。この発射モータ５の回転軸（図示せず）には、図３に示すように、クランク機構（図示せず）を介して打球槌６が連結されており、発射ハンドル４が図３の時計回り方向へ回動操作されると、発射モータ５に電源が与えられ、打球槌６が軸７を中心に繰返し回動する。
【０００８】
前面扉２にはコ字枠８が固定されており、コ字枠８には横長な長方形状の皿板９および矩形枠状の窓枠１０が左側辺部を中心に回動可能に装着されている。これら皿板９および窓枠１０は上述した枠鍵３によりコ字枠８の内周面に嵌合した閉鎖状態にロックされるものであり、皿板９の前面には上皿１１が固定されている。この上皿１１内にはパチンコ球（図示せず）が貯溜されており、打球槌６が回動すると、上皿１１内のパチンコ球が打球槌６により弾かれる。
【０００９】
前面扉２の後面には額縁状の機構盤（図示せず）が固定されており、機構盤には遊技盤１２が保持されている。また、窓枠１０の内周面には透明なガラス窓（図示せず）が保持されており、遊技盤１２は窓枠１０が閉鎖状態にロックされることに基づいてガラス窓により前方から覆われる。
【００１０】
遊技盤１２の前面には、図１に示すように、外レール１３および内レール１４が固定されており、打球槌６により弾かれたパチンコ球は外レール１３および内レール１４間を通して遊技盤１２内の上部に放出される。また、遊技盤１２の前面には複数の障害釘（図示せず）が打込まれており、遊技盤１２の上部に放出されたパチンコ球は複数の障害釘に当りながら落下する。
【００１１】
遊技盤１２の前面には合成樹脂製の台板１５が固定されており、台板１５の中央部には特別図柄表示装置１６が固定され、台板１５の下端部にはＬＥＤからなる４個の特別記憶ランプ１７が固定されている。前者の特別図柄表示装置１６はカラー液晶表示器からなるものであり、特別図柄表示装置１６には「０」〜「１３」の数字図柄が左列，中列，右列の３列に表示される。
【００１２】
台板１５の後面には表示回路基板（図示せず）が固定されており、表示回路基板には表示制御装置１８（図５参照）が搭載されている。この表示制御装置１８はマイクロコンピュータを主体に構成されたものであり、表示制御装置１８の出力ポートには、図５に示すように、ドライブ回路１９を介して特別図柄表示装置１６が電気的に接続されている。
【００１３】
遊技盤１２の後面には、図４に示すように、センタカバー２０が固定されている。このセンタカバー２０は表示回路基板を後方から覆うものであり、センタカバー２０の後面にはメイン回路ボックス２１が固定されている。このメイン回路ボックス２１内にはメイン回路基板（図示せず）が収納されており、メイン回路基板にはメイン制御装置２２（図５参照）が搭載されている。
【００１４】
メイン制御装置２２はマイクロコンピュータを主体に構成されたものであり、メイン制御装置２２の出力ポートには、図５に示すように、表示制御装置１８が電気的に接続され、しかも、ドライブ回路２３を介して４個の特別記憶ランプ１７が電気的に接続されている。また、メイン制御装置２２は大当りカウンタＮｏおよび小当りカウンタＮｋを有している。これら大当りカウンタＮｏおよび小当りカウンタＮｋはリングカウンタからなるものであり、「０」から異なる上限値に加算された後に「０」に戻って加算される。
【００１５】
遊技盤１２の前面には、図１に示すように、特別図柄表示装置１６の左方に位置して振分け装置２４が固定されている。以下、振分け装置２４について詳述する。遊技盤１２の前面には、図２に示すように、合成樹脂製の台板２５がねじ止めされており、台板２５の前面には前方へ突出するリブ２６が一体形成されている。このリブ２６は台板２５の外周部を下辺部を除いて囲うものであり、リブ２６の上辺部には切欠状の入賞口２７が形成されている。尚、入賞口２７の幅寸法は1個のパチンコ球のみが入球することを許容する値に設定されている。
【００１６】
台板２５には軸２８が回動可能に装着されており、軸２８の前端部には振分け部材に相当する可動片２９が固定されている。この可動片２９は入賞口２７を通して振分け装置２４内に入賞するパチンコ球を受止めるものであり、逆く字状の下板３０および半円形状の前板３１を有している。尚、台板２５の前面には入賞口２７の下方に位置してゲート３２が一体形成されており、パチンコ球は入賞口２７からゲート３２内を通して可動片２９に供給される。
【００１７】
台板２５の後面には駆動源に相当する振分けソレノイド３３（図５参照）が固定されている。この振分けソレノイド３３のプランジャはクランク機構（図示せず）を介して可動片２９の軸２８に連結されており、可動片２９は振分けソレノイド３３が通電されることに基づいて右肩上りの状態に回動し、振分けソレノイド３３が断電されることに基づいて左肩上りの状態に回動する。
【００１８】
台板２５の下端部には左側部に位置して電動役物作動口３４が形成されている。この電動役物作動口３４は入球口および第１の入球口に相当するものであり、可動片２９が右肩上りの状態になっているときにはパチンコ球が可動片２９の下板３０に沿って電動役物作動口３４内に入球する。尚、台板２５の下端部には前方へ突出する球受け部２５ａが一体形成されており、可動片２９の下板３０に沿って転がるパチンコ球は球受け部２５ａにより受止められて電動役物作動口３４内に入球する。
【００１９】
台板２５には電動役物作動口センサ３５（図５参照）が配設されている。この電動役物作動口センサ３５は電動役物作動口３４内にパチンコ球が入球することに基づいて役物作動信号Ｓｙを出力する近接スイッチからなるものであり、図５に示すように、メイン制御装置２２の入力ポートに電気的に接続されている。
【００２０】
台板２５の下端部には、図２に示すように、右側部に位置して入球口および第２の入球口に相当する通過口３６が形成されている。この通過口３６は台板２５の右下部の空間部を称するものであり、可動片２９が左肩上りの状態になっているときにはパチンコ球が可動片２９の下板３０に沿って通過口３６側へ転がり、通過口３６からリブ２６の下面開口部を通して振分け装置２４の外部に放出される。
【００２１】
台板２５には振分け表示装置に相当する振分け表示器３７が装着されている。この振分け表示器３７は電動役物作動口３４を指示する矢印状の作動口指示窓３８と、作動口指示窓３８の後方に配設された作動口指示ランプ３９（図５参照）と、通過口３６を指示する矢印状の通過口指示窓４０と、通過口指示窓４０の後方に配設された通過口指示ランプ４１（図５参照）とを有するものであり、作動口指示窓３８および通過口指示窓４０は透明な合成樹脂を材料に形成され、作動口指示ランプ３９および通過口指示ランプ４１はＬＥＤから構成されている。振分け装置２４は以上のように構成されている。
【００２２】
遊技盤１２の前面には、図１に示すように、特別図柄表示装置１６の右方に位置して振分け装置４２が固定されている。この振分け装置４２は台板２５の右下部に電動役物作動口３４が形成され、台板２５の左下部に通過口３６が形成されている点を除いて左方の振分け装置２４と同一構成をなすものであり、振分けソレノイド３３の通電時には可動片２９が左肩上りの状態になることに基づいてパチンコ球を右方の電動役物作動口３４に振分け、振分けソレノイド３３の断電時には可動片２９が右肩上りの状態になることに基づいてパチンコ球を左方の通過口３６に振分ける。
【００２３】
遊技盤１２の前面には特別図柄表示装置１６の下方に位置してポケット状の特別図柄始動口４３が固定されており、特別図柄始動口４３内には特別図柄始動口センサ４４（図５参照）が配設されている。この特別図柄始動口センサ４４は特別図柄始動口４３内にパチンコ球が入球したことを検出して特図始動信号Ｓｔを出力する近接スイッチからなるものであり、図５に示すように、メイン制御装置２２の入力ポートに電気的に接続されている。
【００２４】
遊技盤１２の前面には、図１に示すように、左側部および右側部に位置して複数の誘導釘４５が打込まれている。このうち左側部の複数の誘導釘４５は振分け装置２４の通過口３６から特別図柄始動口４３に向って傾斜状に並ぶものであり、振分け装置２４の通過口３６から放出されるパチンコ球を特別図柄始動口４３側へ案内する。また、右側部の複数の誘導釘４５は振分け装置４２の通過口３６から特別図柄始動口４３に向って傾斜状に並ぶものであり、振分け装置４２の通過口３６から放出されるパチンコ球を特別図柄始動口４３側へ案内する。
【００２５】
遊技盤１２の前面には特別図柄始動口４３の下方に位置して大入賞口４６が固定されており、大入賞口４６の前面には電動役物４７が一体形成されている。この電動役物４７は上面に開口部を有するポケット状のものであり、電動役物４７の上面開口部には扉４８が前後方向へスライド可能に装着されている。
【００２６】
大入賞口４６の後面には役物ソレノイド４９（図５参照）が固定されており、役物ソレノイド４９は、図５に示すように、ドライブ回路５０を介してメイン制御装置２２の出力ポートに電気的に接続されている。この役物ソレノイド４９のプランジャはクランク機構（図示せず）を介して電動役物４７の扉４８に連結されており、役物ソレノイド４９の通電時には扉４８が後方へスライドすることに基づいて電動役物４７の上面開口部を開放し、役物ソレノイド４９の断電時には扉４８が前方へスライドすることに基づいて電動役物４７の上面開口部を閉鎖する。
【００２７】
電動役物４７内には特別図柄始動口センサ５１（図５参照）が配設されている。この特別図柄始動口センサ５１は電動役物４７内にパチンコ球が入球したことを検出して特図始動信号Ｓｔを出力する近接スイッチからなるものであり、図５に示すように、メイン制御装置２２の入力ポートに電気的に接続されている。このメイン制御装置２２の内部ＲＯＭには判定プログラムが予め記録されており、メイン制御装置２２は、後述するように、特別図柄始動口センサ４４からの特図始動信号Ｓｔおよび特別図柄始動口センサ５１からの特図始動信号Ｓｔを判定プログラムに基づいて処理し、大当りおよび外れを判定する。
【００２８】
大入賞口４６には、図１に示すように、電動役物４７の上方に位置して扉５２が軸５３を中心に回動可能に装着されている。この扉５２は大入賞口ソレノイド５４（図５参照）のプランジャにクランク機構（図示せず）を介して連結されており、大入賞口ソレノイド５４の通電時には扉５２が水平状態に回動することに基づいて大入賞口４６を開放し、大入賞口ソレノイド５４の断電時には扉５２が垂直状態に回動することに基づいて大入賞口４６を閉鎖する。
【００２９】
大入賞口ソレノイド５４は、図５に示すように、ドライブ回路５５を介してメイン制御装置２２の出力ポートに電気的に接続されており、メイン制御装置２２は大当りを判定することに基づいて大入賞口ソレノイド５４に断続的に電源を与え、大入賞口４６を設定時間（例えば３０秒間）だけ開放する。この開放動作はラウンドと称されるものであり、設定回数（例えば１６ラウンド）だけ繰返される（大当り動作）。
【００３０】
大入賞口４６内には大入賞口センサ５６（図５参照）が配設されている。この大入賞口センサ５６は近接スイッチからなるものであり、大入賞口４６内にパチンコ球が入球したことを検出して入賞信号Ｓｎを出力する。また、前面扉２の後面には、図４に示すように、メインセット５７が前面扉２と同一の側辺部を中心に回動可能に装着されている。このメインセット５７はセンタカバー２０を囲う矩形枠状をなすものであり、メインセット５７の後面には賞球回路ボックス５８が固定されている。
【００３１】
賞球回路ボックス５８内には賞球回路基板（図示せず）が収納されている。この賞球回路基板にはマイクロコンピュータを主体に構成された賞球制御装置５９（図５参照）が搭載されており、賞球制御装置５９は、図５に示すように、メイン制御装置２２の出力ポートに電気的に接続されている。この賞球制御装置５９の入力ポートには大入賞口センサ５６が電気的に接続されており、賞球制御装置５９は大入賞口センサ５６からの入賞信号Ｓｎをカウントすることに基づいてパチンコ球の大入賞口４６に対する入賞数を検出する。
【００３２】
振分け装置２４の振分けソレノイド３３および振分け装置４２の振分けソレノイド３３はドライブ回路６０を介して賞球制御装置５９の出力ポートに電気的に接続されている。この賞球制御装置５９の内部ＲＯＭには駆動制御プログラムが予め記録されており、賞球制御装置５９は両振分けソレノイド３３を駆動制御プログラムに基づいて制御し、振分け装置２４の可動片２９および振分け装置４２の可動片２９を設定周期で揺動させる。下記（１）および（２）は賞球制御装置５９による両振分けソレノイド３３の制御内容を示すものである。
【００３３】
（１）特典（確率変動）の非獲得時には両振分けソレノイド３３を設定時間Ｔon1 （例えば０．５秒）だけ通電する動作および設定時間Ｔoff1（例えば６秒）だけ断電する動作を繰返す。この場合には左方の振分け装置２４の可動片２９が右肩上りの状態および左肩上りの状態に交互に０．５秒間および６秒間だけ保持され、左方の振分け装置２４の電動役物作動口３４および通過口３６に「１：１２」の個数割合でパチンコ球が振分けられる。これと共に、右方の振分け装置４２の可動片２９が左肩上りの状態および右肩上りの状態に交互に０．５秒間および６秒間だけ保持され、右方の振分け装置４２の電動役物作動口３４および通過口３６に「１：１２」の個数割合でパチンコ球が振分けられる。
【００３４】
（２）特典（確率変動）の獲得時には両振分けソレノイド３３を設定時間Ｔon2 （例えば３秒）だけ通電する動作および設定時間Ｔoff2（例えば６秒）だけ断電する動作を繰返す。この場合には左方の振分け装置２４の可動片２９が右肩上りの状態および左肩上りの状態に交互に３秒間および６秒間だけ保持され、電動役物作動口３４および通過口３６に「１：２」の個数割合でパチンコ球が振分けられる。これと共に、右方の振分け装置４２の可動片２９が左肩上りの状態および右肩上りの状態に交互に３秒間および６秒間だけ保持され、右方の振分け装置４２の電動役物作動口３４および通過口３６に「１：２」の個数割合でパチンコ球が振分けられる。
【００３５】
左方の振分け装置２４の作動口指示ランプ３９および通過口指示ランプ４１，右方の振分け装置４２の作動口指示ランプ３９および通過口指示ランプ４１は、図５に示すように、ドライブ回路６１を介して賞球制御装置５９の出力ポートに電気的に接続されており、賞球制御装置５９は両振分けソレノイド３３の通電時には両作動口指示ランプ３９を通電し且つ両通過口指示ランプ４１を断電し、両作動口指示窓３８を後方から照明することに基づいてパチンコ球が電動役物作動口３４に振分けられることを報知する。また、両振分けソレノイド３３の断電時には両作動口指示ランプ３９を断電し且つ両通過口指示ランプ４１を通電し、両通過口指示窓４０を後方から照明することに基づいてパチンコ球が通過口３６に振分けられることを報知する。
【００３６】
メインセット５７の後面には、図４に示すように、上端部に位置して球タンク６２が固定されており、球タンク６２内にはパチンコ球（図示せず）が貯溜されている。また、メインセット５７の後面にはタンクレール６３および球払出しケース６４が固定されている。この球払出しケース６４内はタンクレール６３を介して球タンク６２内に通じており、球払出しケース６４内には球タンク６２内からタンクレール６３を通してパチンコ球が供給される。
【００３７】
球払出しケース６４内には球払出し機構（図示せず）が収納されている。この球払出し機構はパルスモータからなる球払出しモータ６５（図５参照）を駆動源とするものであり、球払出しモータ６５の回転軸が設定量回転する毎に球払出しケース６４内から下方へ設定個数のパチンコ球が払出される。
【００３８】
球払出しモータ６５は、図５に示すように、ドライブ回路６６を介して賞球制御装置５９の出力ポートに電気的に接続されており、賞球制御装置５９は大入賞口４６に対する入賞球数の検出結果に基づいて球払出しモータ６５を駆動制御し、球払出しケース６４内から検出結果に応じた個数のパチンコ球を払出す。
【００３９】
メイン制御装置２２は特別図柄始動口センサ４４からの特図始動信号Ｓｔおよび特別図柄始動口センサ５１からの特図始動信号Ｓｔを賞球制御装置５９に出力する。これに対して賞球制御装置５９は１個の特図始動信号Ｓｔが与えられる毎に球払出しモータ６５を駆動制御し、特別図柄始動口センサ４４から特図始動信号Ｓｔが出力された場合および特別図柄始動口センサ５１から特図始動信号Ｓｔが出力された場合のいずれにも球払出しケース６４内から同数（例えば７個）のパチンコ球を払出す。
【００４０】
メインセット５７には、図４に示すように、上皿通路６７が設けられている。この上皿通路６７は球払出しケース６４および上皿１１間を繋ぐものであり、球払出しケース６４内から払出されたパチンコ球は上皿通路６７を通して上皿１１内に供給される。また、メインセット５７には下皿通路６８が設けられており、下皿通路６８の上端部は上皿１１内に通じ、下皿通路６８の下端部は図３の下皿６９内に通じている。この下皿６９は前面扉２の前面に固定されたものであり、上皿１１内から溢れたパチンコ球は下皿通路６８を通して下皿６９内に供給される。
【００４１】
次に上記構成の作用について説明する。尚、下記動作はメイン制御装置２２が内部ＲＯＭに予め記録された判定プログラムに基づいて実行するものである。メイン制御装置２２は図６のステップＳ１で特図始動信号Ｓｔを検出すると、ステップＳ２へ移行する。ここで、特図始動信号Ｓｔの検出タイミングで大当りカウンタ値Ｎｏを取得し、内部ＲＡＭの大当り処理領域に記録する。そして、ステップＳ３へ移行し、表示制御装置１８に特別図柄変動画面の表示指令を出力する。
表示制御装置１８は特別図柄変動画面の表示指令を検出すると、特別図柄表示装置１６の左列，中列，右列の各列に「０」〜「１３」の数字図柄を「０」，「１」，「２」，……，「１２」，「１３」，「０」，「１」，……の順序で可変表示し、数字図柄が変動する様子を演出する（特別図柄変動画面の表示）。
【００４３】
メイン制御装置２２は特別図柄変動画面の表示指令を出力すると、図６のステップＳ４へ移行し、ＲＡＭの大当り処理領域から大当りカウンタ値Ｎｏを読出す。そして、大当りカウンタ値Ｎｏを設定値と比較することに基づいて外れ，特典無し（確率変動無し）大当り，特典付き（確率変動付き）大当りを判定する。例えば外れの判定時にはステップＳ５へ移行し、設定時間Ｔｏが経過するまで待機する。次に、ステップＳ６へ移行して表示制御装置１８に特別外れ画面の表示指令を出力し、ステップＳ１に復帰して上記一連の動作を繰返す。
【００４４】
表示制御装置１８は特別外れ画面の表示指令を検出すると、特別図柄表示装置１６の３列の全てを異なる数字で停止させたり、３列のうち２列を同一の数字で停止させて残り１列を異なる数字で停止させ（特別外れ画面の表示）、遊技者に外れを報知する。
【００４５】
メイン制御装置２２はステップＳ４で特典無し大当りを判定すると、ステップＳ７へ移行し、設定時間Ｔｏが経過するまで待機する。そして、ステップＳ８へ移行し、表示制御装置１８に特典無し大当り画面の表示指令を出力する。すると、表示制御装置１８は特別図柄表示装置１６の３列の全てを「０」〜「１２」のいずれかの偶数で停止させ（特別大当り画面の表示）、遊技者に特典無し大当りの発生を報知する。
【００４６】
メイン制御装置２２はステップＳ４で特典付き大当りを判定すると、ステップＳ９へ移行し、設定時間Ｔｏが経過するまで待機する。そして、ステップＳ１０へ移行し、表示制御装置１８に特典付き大当り画面の表示指令を出力する。すると、表示制御装置１８は特別図柄表示装置１６の３列の全てを「１」〜「１３」のいずれかの奇数で停止させ（特別大当り画面の表示）、遊技者に特典付き大当りの発生を報知する。
【００４７】
尚、特別外れ画面の各列の数字，特典無し大当り画面の各列の数字，特典付き大当り画面の各列の数字は表示制御装置１８がメイン制御装置２２からの表示指令を検出する時間的なタイミングに基づいて設定するものである。また、ステップＳ５，Ｓ７，Ｓ９は特別図柄変動時間（特別図柄変動画面の表示時間）を確定するものである。
【００４８】
メイン制御装置２２は特典無し大当り画面の表示指令または特典付き大当り画面の表示指令を出力すると、ステップＳ１１へ移行し、大入賞口ソレノイド５４を通断電することに基づいて上述の大当り動作を実行する。そして、ステップＳ１に復帰し、上記一連の動作を繰返す。このとき、先のステップＳ４で特典付き大当りを判定していれば、次回の大当りが発生するまではステップＳ４で通常より高確率で大当りを判定し、しかも、ステップＳ５，Ｓ７，Ｓ９で通常より待機時間Ｔｏを短縮する。
【００４９】
メイン制御装置２２の大当り処理領域は１個の大当りカウンタ値Ｎｏが記録されるものであり、メイン制御装置２２は大当り処理領域に大当りカウンタ値Ｎｏが記録されている状態で特図始動信号Ｓｔを検出すると、特図始動信号Ｓｔの検出タイミングで大当りカウンタ値Ｎｏを取得し、大当りカウンタ値ＮｏをＲＡＭの大当り保留領域に記録する。そして、ステップＳ４の判定動作が終了した時点で大当り保留領域の大当りカウンタ値Ｎｏを大当り処理領域に書換え、次回のステップＳ４では大当り処理領域の新たな大当りカウンタ値Ｎｏに基づいて判定動作を行う。
【００５０】
メイン制御装置２２の大当り保留領域は最大で４個の大当りカウンタ値Ｎｏが記録されるものであり、メイン制御装置２２は大当り保留領域に１個の大当りカウンタ値Ｎｏを記録する毎に１個の特別記憶ランプ１７を点灯させ、特別図柄表示装置１６に特別図柄変動画面を表示開始する毎に１個の特別記憶ランプ１７を消灯する。
【００５１】
メイン制御装置２２は役物作動信号Ｓｙを検出すると、図７のステップＳ２１へ移行し、役物ソレノイド４９に作動信号Ｓｄを出力する。すると、電動役物４７の扉４８が後方へスライドすることに基づいて電動役物４７が開放され、電動役物４７内に多数個のパチンコ球が入球する。
【００５２】
メイン制御装置２２は電動役物４７を開放すると、ステップＳ２２へ移行し、設定時間Ｔｄだけ待機する。そして、ステップＳ２３へ移行し、役物ソレノイド４９に対する作動信号Ｓｄの出力を停止することに基づいて電動役物４７の扉４８を閉鎖する。前者のステップＳ２２は電動役物４７の開放時間を確定するものであり、メイン制御装置２２は図６のステップＳ４で特典付き大当りを判定している場合には図７のステップＳ２２で待機時間Ｔｄを通常より延長し、電動役物４７の開放時間を長くする。
【００５３】
上記実施例によれば、振分け装置２４の可動片２９によるパチンコ球の振分け方向を振分け表示器３７に表示したので、パチンコ球が振分け装置２４内に入賞する毎にパチンコ球の流れを目で追って振分け方向を確認する必要がなくなる。このため、遊技者が振分け装置２４内でのパチンコ球の挙動のおもしろさを気分に応じて堪能できるので、遊技のおもしろさが高まる。
【００５４】
また、振分け装置２４の可動片２９を電動役物作動口３４にパチンコ球を振分ける状態および通過口３６にパチンコ球を振分ける状態間で揺動可能に設けた。このため、パチンコ球の流れが振分け装置２４内で急激に変わるので、パチンコ球の挙動のおもしろみが高まる。しかも、パチンコ球の振分け方向が表示されるので、遊技者がパチンコ球の急激な流れの変化を煩わしく感じない程度に目で追うことが可能になり、総じて、遊技のおもしろさが一層高まる。
【００５５】
また、振分け装置２４の作動口指示窓３８および通過口指示窓４０を選択的に照明することに基づいてパチンコ球の振分け方向を表示したので、パチンコ球の振分け方向が一目で分る。このため、振分け方向の表示を読取ることに集中する必要がなくなり、パチンコ球の挙動のおもしろさを十分に堪能できるので、この点からも遊技のおもしろさが一層高まる。
【００５６】
また、特典の非獲得時には振分け装置２４の可動片２９が電動役物作動口３４側へ傾斜する時間Ｔon1 を短くし、特典の獲得時には電動役物作動口３４側へ傾斜する時間Ｔon2 を長くした。このため、特典の獲得時に高頻度で電動役物４７が開放されるので、パチンコ球の電動役物４７に対する入球数が増える。このため、パチンコ球の少ない減り量で次の大当りが発生するので、遊技のおもしろさが高まる。
【００５７】
また、遊技盤１２に傾斜状に誘導釘４５を打込み、振分け装置２４の通過口３６から特別図柄始動口４３にパチンコ球を誘導するようにした。このため、通過口３６を通過したパチンコ球の全てが特別図柄始動口４３内に入球するとは限らないので、パチンコ球の払出し個数が少なく抑えられる。このため、大当り確率を高く設定できるので、この点からも遊技のおもしろさが一層高まる。尚、上述の各効果は右方の振分け装置４２についても同様である。
【００５８】
また、上記実施例においては、特典の獲得時には大当りカウンタ値Ｎｏに基づいて大当りを高確率で判定したが、これに限定されるものではなく、例えば特典の獲得状態に拘らず大当りを一定の確率で判定し、特典の獲得時には図６のステップＳ５，Ｓ７，Ｓ９で待機時間（特別図柄変動時間）を短縮するようにしても良い（時間短縮機）。
【００５９】
また、上記実施例においては、大当りカウンタ値Ｎｏに応じて特典付き大当り，特典無し大当り，外れを判定する確率変動機に本発明を適用したが、これに限定されるものではなく、例えば大当りおよび外れを判定するノーマル機に本発明を適用しても良い。
【００６０】
また、上記実施例においては、両可動片２９を左右に非均等な時間的割合で揺動させたが、これに限定されるものではなく、例えば左右に均等の時間的割合で揺動させても良い。
【００６１】
また、上記実施例においては、振分け装置２４，４２に電動役物作動口３４および通過口３６を設けたが、これに限定されるものではなく、例えば普通入賞口，普通図柄始動口，特別図柄始動口，３種始動口，２種始動口のうち機能が異なる２個の入球口を設けたり、同一機能の２個の入球口を設けても良い。例えば同一機能の２個の普通入賞口を設ける場合には一方の普通入賞口内にパチンコ球が入球することに基づいてＮａ個のパチンコ球を払出し、他方の普通入賞口内にパチンコ球が入球することに基づいてＮｂ（＜Ｎａ）個のパチンコ球を払出すと良い。
【００６２】
また、上記実施例においては、賞球制御装置５９が両振分けソレノイド３３を駆動制御する構成としたが、これに限定されるものではなく、例えばメイン制御装置２２が両振分けソレノイド３３を駆動制御する構成としたり、専用の制御装置が両振分けソレノイド３３を駆動制御する構成としても良い。
【００６３】
また、上記実施例においては、両作動口指示ランプ３９および両通過口指示ランプ４１を点灯状態に保持することに基づいてパチンコ球の振分け方向を表示したが、これに限定されるものではなく、例えば両作動口指示ランプ３９および両通過口指示ランプ４１を点滅させることに基づいてパチンコ球の振分け方向を表示しても良い。
【００６４】
また、上記実施例においては、両作動口指示ランプ３９および両通過口指示ランプ４１の点灯状態を制御することに基づいてパチンコ球の振分け方向を表示したが、これに限定されるものではなく、例えば両作動口指示ランプ３９および両通過口指示ランプ４１の点灯状態を制御することに基づいてパチンコ球の振分け方向および振分け時間を表示しても良い。下記（１）は特典の獲得時に振分け方向に加えて残り振分け時間を表示する一例を示すものである。
【００６５】
（１）作動口指示ランプ３９の点灯状態で設定時間が経過したときには作動口指示ランプ３９を点滅させ、電動役物作動口３４側にパチンコ球が振分けられる残り時間が少ないことを知らせる。そして、作動口指示ランプ３９の点滅ピッチを時間の経過と共に短くし、可動片２９が電動役物作動口３４側から通過口３６側に回動したときに作動口指示ランプ３９を消灯する。
【００６６】
また、上記実施例においては、作動口指示窓３８および通過口指示窓４０を選択的に照明することに基づいてパチンコ球の振分け方向を表示したが、これに限定されるものではなく、例えば振分け表示装置に振分け方向を図柄やメッセージ等で表示しても良い。この場合、振分け表示装置として専用の液晶表示器を使用したり、特別図柄表示装置１６を利用すると良い。上記実施例には特許請求の範囲に記載された発明に加えて次の［発明１］〜［発明３］が記載されている。
［発明１］
パチンコ球が入球または通過する複数の入球口およびパチンコ球を複数の入球口に振分ける振分け部材を有する振分け装置と、前記振分け部材によるパチンコ球の振分け方向を表示する振分け表示装置とを備えたことを特徴とするパチンコ機。この発明１によれば、振分け装置によるパチンコ球の振分け方向が表示されるので、パチンコ球が振分け装置内に入賞する毎にパチンコ球の流れを目で追って振分け方向を確認する必要がなくなる。このため、遊技者が振分け装置内でのパチンコ球の挙動を煩わしく感じない程度に目で追うことができるので、遊技のおもしろさが高まる。
［発明２］
前記振分け装置は第１の入球口および第２の入球口を有し、前記振分け部材は前記第１の入球口にパチンコ球を振分ける状態および前記第２の入球口にパチンコ球を振分ける状態間で揺動可能にされていることを特徴とする発明１に記載のパチンコ機。この発明２によれば、パチンコ球の流れが振分け装置内で急激に変わるので、パチンコ球の挙動のおもしろみが高まる。しかも、遊技者がパチンコ球の急激な流れの変化を煩わしく感じない程度に目で追うことができるので、遊技のおもしろさが一層高まる。
［発明３］
前記振分け表示装置はパチンコ球の複数の振分け方向を個別に指示する複数の指示窓を有し、複数の指示窓を選択的に照明することに基づいてパチンコ球の振分け方向を表示することを特徴とする発明１に記載のパチンコ機。この発明３によれば、パチンコ球の振分け方向が一目で分る。このため、振分け方向の表示を読取ることに集中する必要がなくなり、パチンコ球の挙動のおもしろさを十分に堪能できるので、遊技のおもしろさが一層高まる。
【００６７】
【発明の効果】
以上の説明から明らかなように、本発明のパチンコ機は次の効果を奏する。
請求項１記載の手段によれば、振分け装置によるパチンコ球の振分け方向を表示した。このため、遊技者が振分け装置内でのパチンコ球の挙動のおもしろさを気分に応じて堪能できるので、遊技のおもしろさが高まる。しかも、振分け方向の表示を読取ることに集中する必要がなくなるので、遊技のおもしろさが一層高まる。
【００６８】
請求項２記載の手段によれば、振分け装置によるパチンコ球の振分け方向を表示した。このため、遊技者が振分け装置内でのパチンコ球の挙動のおもしろさを気分に応じて堪能できるので、遊技のおもしろさが高まる。しかも、遊技者がパチンコ球の急激な流れの変化を煩わしく感じない程度に目で追うことが可能になるので、遊技のおもしろさが一層高まる。しかも、振分け方向の表示を読取ることに集中する必要がなくなるので、遊技のおもしろさが一層高まる。
【図面の簡単な説明】
【図１】本発明の一実施例を示す図（遊技盤を示す前面図）
【図２】振分け装置を示す前面図
【図３】全体構成を示す前面図
【図４】全体構成を示す後面図
【図５】電気的構成を示すブロック図
【図６】メイン制御装置の制御内容を示すフローチャート
【図７】メイン制御装置の別の制御内容を示すフローチャート
【符号の説明】
２４は振分け装置、２９は可動片（振分け部材）、３４は電動役物作動口（入球口，第１の入球口）、３６は通過口（入球口，第２の入球口）、３７は振分け表示器（振分け表示装置）、３８は作動口指示窓（指示窓）、４０は通過口指示窓（指示窓）、４２は振分け装置を示す。
【図１】
0004264859.tif 000002
【図２】
0004264859.tif 000003
【図３】
0004264859.tif 000004
【図４】
0004264859.tif 000005
【図５】
0004264859.tif 000006
【図６】
0004264859.tif 000007
【図７】
0004264859.tif 000008